(57)【要約】【課題】  部品点数が少なく分解・組み立てを容易に行うことが可能な組立式コンロを提供する。【構成】  組立式コンロＡの主要構成であるコンロ本体１００は、合計４枚のパネル１１１〜１１４が帯状に屈曲可能に連結される組立パネル群１１０Ｕを有し且つ組立パネル群１１０Ｕの両端同士を連結させて環状に組み合わされる炉枠体部１１０と、組立パネル群１１０Ｕの両端が開放された状態で炉枠体部１１０内に挿入されるとともに着脱自在に取り付けられる炭受け網１２１、炭受け板１２２である仕切り受け部１２０とを備えている。【選択図】      図1
2020031943.tif 000002
【特許請求の範囲】
【請求項１】
複数のパネルが帯状に屈曲可能に連結される又は連結された組立パネル群を有し且つ当該組立パネル群の両端同士を連結させて環状に組み合わされる炉枠体部と、前記組立パネル群の両端が開放された状態で当該炉枠体部内に挿入されるとともに着脱自在に取り付けられる仕切り受け部とを備えたことを特徴とする組立式コンロ。
【請求項２】
請求項１記載の組立式コンロにおいて、
前記仕切り受け部は、その端部に、前記炉枠体部のパネルの面上に形成された凹部に係止可能な着脱用の凸部が形成された構成になっていることを特徴とする組立式コンロ。
【請求項３】
請求項１記載の組立式コンロにおいて、
前記炉枠体部は、前記組立パネル群の両側に各々設けられたヒンジ受け部と、前記ヒンジ受け部に抜き差し可能なヒンジピンとを有した構成になっていることを特徴とする組立式コンロ。
【請求項４】
請求項３記載の組立式コンロにおいて、
前記ヒンジピンは、その後端部が折り曲げられ、全体として側方視Ｌ字状をなしていることを特徴とする組立式コンロ。
【発明の詳細な説明】
【技術分野】
【０００１】
本発明はキャンプ地等での使用に適した組立式コンロに関する。
【背景技術】
【０００２】
この種の組立式コンロは持ち運びに便利で重宝されている。その一例として特許文献１に開示された野外こん炉がある。かかる炉は、全体を下支えする支持板部と、支持板部上に取り付けられる中央部にメッシュ体を有した台箱と、台箱上に取り付けられる炉枠体部とを備え、熱変形が生じ難くするために各構成要素が相互に拘束し合う一方で分解・組立可能になっている。
【先行技術文献】
【特許文献】
【０００３】
【特許文献１】特開２００９−１２７９９４号公報
【発明の概要】
【発明が解決しようとする課題】
【０００４】
しかしながら、上記従来例による場合、各構成要素の部品点数が多いことから分解・組立が容易でなく、この点で使い勝手が悪いという問題がある。
【０００５】
本発明は上記背景の下に創作されたものであって、その目的とするところは、部品点数が少なく分解・組み立てを容易に行うことが可能な組立式コンロを提供することにある。
【課題を解決するための手段】
【０００６】
上記課題を解決するために、本発明に係る組立式コンロは、複数のパネルが帯状に屈曲可能に連結される又は連結された組立パネル群を有し且つ当該組立パネル群の両端同士を連結させて環状に組み合わされる炉枠体部と、前記組立パネル群の両端が開放された状態で当該炉枠体部内に挿入されるとともに着脱自在に取り付けられる仕切り受け部とを備えている。
【０００７】
上記した本発明による場合、構成上、各構成要素の部品点数が少なくて良く、この点で分解・組立が容易となり、これに伴って使い勝手が良好になる。
【０００８】
前記仕切り受け部に関し、好ましくは、その端部に、前記炉枠体部の複数のパネルに形成された凹部に係止可能な着脱用の凸部が形成された構成にすると良い。
【０００９】
上記形態の組立式コンロによる場合、炉枠体部内に仕切り受け部を着脱自在に取り付ける機構が簡単であることから、上記効果に加えて低コスト化を図ることが可能になる。
【００１０】
前記炉枠体部に関し、好ましくは、組立パネル群の両側に設けられたヒンジ受け部と、前記ヒンジ受け部に抜き差し可能なヒンジピンとを有した構成にすると良い。
【００１１】
上記形態の組立式コンロによる場合、炉枠体部のヒンジ受け部からヒンジピンを抜くと組立パネル群の両端が外れて開放される一方、これとは逆にヒンジピンをヒンジ受け部に差し込むと組立パネル群の両端が連結される構成になっていることから、この点で分解・組立が一層容易となり、これに伴って使い勝手が一層良好になる。
【００１２】
前記ヒンジピンに関し、好ましくは、その後端部が折り曲げられ、全体として側方視Ｌ字状をなした構成にすると良い。
【００１３】
上記形態の組立式コンロによる場合、ヒンジピンの後端部が折り曲げられていることから、ヒンジピンの抜き差しが容易となり、この点で、分解・組立が一層容易となり、これに伴って使い勝手が一層良好になる。
【図面の簡単な説明】
【００１４】
【図１】本発明の実施形態に係る組立式コンロの全体を表した斜視図である。
【図２】同組立式コンロから五徳を外した状態のコンロ本体の平面図である。
【図３】同コンロ本体の炉枠体部からヒンジピンの一つを抜いて組立パネル群の両端を外して開放された状態を表した斜視図である。
【図４】同組立パネル群を展開した状態を表した平面図である。
【図５】同コンロ本体の炭受け網の表面図である。
【図６】（Ａ）は同コンロ本体の灰受け板の表面図、（Ｂ）はその裏面図である。
【発明を実施するための形態】
【００１５】
以下、本発明の実施形態を図１〜図６を参照して説明する。ここに例をあげて説明する組立式コンロＡは主としてアウトドア用のコンロであって、図１に示されているように、大きく分けてコンロ本体１００と五徳２００とを有し、コンロ本体１００を分解して五徳２００とともに図外の専用ポーチに重ねて収容し、この状態で持ち運び可能になっている。なお、五徳２００は金属線を折り曲げて平面視正方形状に形成されたもので、コンロ本体１００の上に置いて使用されるようになっている。
【００１６】
コンロ本体１００は、図１〜図４に示されているように、パネル１１１〜１１４が帯状に屈曲可能に連結される組立パネル群１１０Ｕを有し且つ組立パネル群１１０Ｕの両端同士を連結させて環状に組み合わされる平面視正方形の炉枠体部１１０と、組立パネル群１１０Ｕの両端が開放された状態で炉枠体部１１０内に挿入されるとともに着脱自在に取り付けられる平面視正方形の仕切り受け部１２０とを備えている。なお、本実施例では、仕切り受け部１２０として、炭受け網１２１及び／又は灰受け板１２２を有し、炭受け網１２１及び／又は灰受け板１２２が炉枠体部１１０内の上下段に取り付け可能になっている。また、パネル１１１〜１１４のうちパネル１１１がコンロ本体１００の正面に対応している。
【００１７】
組立パネル群１１０Ｕについては、図４に示されているように、合計４枚の金属板であるパネル１１１〜１１４が帯状にヒンジ１１５，１１６により屈曲可能に連結される構成になっている。
【００１８】
本実施例では、ヒンジ１１６については一般的な平蝶番を用いており、パネル１１１の内端とパネル１１２の内端との間、パネル１１３の内端とパネル１１４の内端との間がヒンジ１１６によって着脱不能に連結されている。このようにしてパネル１１１、１１２が一つの連結パネルを構成し、パネル１１３、１１４が別の連結パネルを構成している。これに対してヒンジ１１５については抜き差し蝶番類似のものを用いており、パネル１１１の外端とパネル１１４の外端との間、パネル１１２の外端とパネル１１３の外端との間は、ヒンジ１１５によって着脱自在に連結されている。図３及び図４は、パネル１１１の外端とパネル１１４の外端との間が外された例が示されている。ここでは、パネル１１１の外端とパネル１１４の外端が組立パネル群１１０Ｕの両端ということになる。
【００１９】
パネル１１２の外端とパネル１１３の外端との間に設けられたヒンジ１１５は、当該パネルの外端に各々設けられた筒状のヒンジ受け部１１５１と、後端部が折り曲げられて全体として側方視Ｌ字状をなしたヒンジピン１１５２とを有した構成になっている。パネル１１２のヒンジ受け部１１５１とパネル１１３のヒンジ受け部１１５１とは上下方向において互い違いになっており、組み合わせることで筒状をなすようになっている。
【００２０】
ヒンジピン１１５２が側方視Ｌ字状にされているのは、組み合わされたヒンジ受け部１１５１に対して抜き差しを容易にするためである。その際の指の引っ掛かりを良好にするために、その後端側の先端部が三角状に折り曲げられている。このようなヒンジ１１５がパネル１１１とパネル１１４との間にも同様に設けられている。なお、ヒンジピン１１５２は、組み合わされたヒンジ受け部１１５１に対して抜き差しできれば良く、直線状とすることも可能である。
【００２１】
パネル１１１の中央部には、角穴である凹部１１１１が上下方向に一定間隔を開けて合計５つ形成されている。パネル１１２、１１３、１１４の各中央部にも、角穴である凹部１１２１、１１３１、１１４１が同様に各々形成されている。また、パネル１１１、１１２の内端部（角部）には、丸穴である凹部１１１２、１１２２が凹部１１１１、１１２１の近く（横）に上下方向に一定間隔を開けて合計５つ各々形成されている。同じ高さに位置する凹部１１１２、１１２２は、ヒンジ１１６を挟んで隣り合っている。パネル１１３、１１４にも、丸穴である凹部１１３２、１１４２が同様に各々形成されている。なお、５個ずつの凹部１１１２、１１２２、１１３２、１１４２を一組とした場合、当該組のうち少なくとも一組あれば良い。凹部１１１２及び１１２２は何れか一方があれば良く、凹部１１３２、１１４２も何れか一方があれば良い。各凹部の数は任意に変更できる。
【００２２】
炭受け網１２１については、図５に示されているように、金属線を格子状に折り曲げて形成された網本体１２１１と、網本体１２１１の表面上の三辺に各々設けられたＬアングルであってその長辺側端部が網本体１２１１の三辺から突出して配置された着脱用の凸部１２１２（フック）と、網本体１２１１の表面上の一角に設けられた平面視コ字状体であってその各先端部が網本体１２１１の当該角から突出して配置された着脱用の凸部１２１３（係止凸部）とを備えている。
なお、着脱用の凸部１２１３は、平面視コ字状体である必要はなく、前記角から突出する棒体であっても良い。
【００２３】
凸部１２１２の各々の先端部については、炉枠体部１１０に形成された凹部１１２１、１１３１又は１１４１に挿入され、下向きに折り曲げられた部分の引っ掛かりにより係止される。凸部１２１３の各先端部については、炉枠体部１１０に形成された凹部１１１２、１１２２又は凹部１１３２、１１４２に各々挿入される。凸部１２１２の先端部が下向きに折り曲げられているだけでなく、凹部１１２１等が角穴である一方、凹部１１３２等が丸穴である関係で、凸部１２１２、１２１３が抜け難くなっている。この結果、炭受け網１２１が炉枠体部１１０内に着脱自在に取り付けられる。また、凹部１１２１等が５段になっていることから、炭受け網１２１が５段階に高さ調整可能になっている。
【００２４】
灰受け板１２２については、図６に示されているように炭受け網１２１と同様な形状になっており、正方形状の金属板である板状本体１２２１と、板状本体１２２１の三辺の一部を折り曲げて形成されたLアングルであってその長辺側端部が板状本体１２２１の各辺から突出して配置された着脱用の凸部１２２２と、板状本体１２２１の表面上の一角に設けられた平面視コ字状体であってその先端部が板状本体１２２１の当該角から突出して配置された着脱用の凸部１２２３とを備えている。
なお、着脱用の凸部１２２３は、平面視コ字状体である必要はなく、前記角から突出する棒体であっても良い。
【００２５】
仕切り受け部１２０としては、炭受け網１２１及び灰受け板１２２以外に焼き網等があるが、上記と同様な構成になっており、炭受け網１２１の場合と全く同様に、炉枠体部１１０内に高さ調整しつつ着脱自在に取り付け可能になっている。
【００２６】
以下、上記のように構成された組立式コンロＡの組立方法等について説明する。
【００２７】
上記専用ポーチから、五徳２００、合計２本のヒンジピン１１５２を取り出す一方、パネル１１１、１１２、１１３及び１１４を取り出す。パネル１１１及びパネル１１２についてはヒンジ１１６により連結されている。パネル１１３及びパネル１１４についても同様である。そして、パネル１１２のヒンジ受け１１５１とパネル１１３のヒンジ受け１１５１とを組み合わせ、その状態でヒンジ受け１１５１にヒンジピン１１５２を差し込んで両パネルを連結させる。すると、図４に示されているように、パネル１１１、１１２、１１３及び１１４の帯状に屈曲可能に連結され、組立パネル群１１０Ｕが組み立てられる。
【００２８】
このような組立パネル群１１０Ｕを図３に示されているように略コ字状に屈曲させ、その内部に炭受け網１２１を挿入させる。この過程で、炭受け網１２１の凸部１２１３をパネル１１１、１１２の凹部１１１２、１１２２等に各々挿入し、炭受け網１２１の凸部１２１３の両隣の凸部１２１２をパネル１１１、１１２の凹部１１１１、１１２１に各々挿入すると、炭受け網１２１がパネル１１１、１１２に取り付けられる。炭受け網１２１の残りの凸部１２１２をパネル１１３の凹部１１３１に挿入すると、組立パネル群１１０Ｕ内に炭受け網１２１が着脱自在に取り付けられる。灰受け板１２２についても全く同様に取り付けられる。このような組立パネル群１１０Ｕの両端（パネル１１１の端とパネル１１４の端）同士を近づけてパネル１１１のヒンジ受け１１５１とパネル１１４のヒンジ受け１１５１とを組み合わせ、その状態でヒンジ受け１１５１にヒンジピン１１５２を差し込んで両パネルひいては組立パネル群１１０Ｕの両端を連結させると、炉枠体部１１０が環状に組み合わされる。
【００２９】
このようにして組み立てられた炉枠体部１１０の上に五徳２００を置くと、組立式コンロＡが組み立てられる。上記とは逆に行うと、組立式コンロＡが分解される。特に、炉枠体部１１０からヒンジピン１１５２を抜くと、組立パネル群１１０Ｕの両端等が外れて開放される。コンロ本体１００、五徳２００等の各部品を上記専用ポーチに収納すると、持ち運びが可能になる。
【００３０】
上記した構成の組立式コンロＡによる場合、構成上、部品点数が少なく、この点で分解・組立が容易となり、これに伴って使い勝手が良好になる。しかも炉枠体部１１０内に仕切り受け部１２０を着脱自在に容易に取り付け可能である点、ヒンジピン１１５２を抜き差しするだけで炉枠体部１１０の分解・組み立てを容易に行うことができる点を考慮すると、使い勝手が一層良好になる。さらに、炉枠体部１１０内に仕切り受け部１２０を着脱自在に取り付ける機構を含めて、炉枠体部１１０の構成がシンプルであることから、低コスト化を図ることも可能になる。また、組立式コンロＡについては、組立パネル群１１０Ｕの両端を連結させた状態で使用するのが一般的であると言えるが、図３に示されているように炉枠体部１１０からヒンジピン１１５２を一つ抜いて、組立パネル群１１０Ｕの両端を外して開放させると、カマドのような使用が可能になり、この点でもメリットがある。
【００３１】
なお、本発明に係る組立式コンロは上記実施形態に限定されず、下記の通りに設計変更された形態についても対象に含まれる。炉枠体部については、組立パネル群のパネル数、その連結方法が問われず、炉枠体部の形状に関してはテーパの有無が任意であるだけでなく平面視多角形だけでなく円形状であっても良い。組立パネル群については、その両端同士が連結可能で環状に組み立て可能な構成であれば良く、両端同士を止め金具等を用いて連結する他、両端以外の連結箇所が離れない形態であっても良い。組立パネル群の両端が開放された状態で炉枠体部内に仕切り受け部を挿入して着脱自在に取り付ける構成については、組立パネル群の各パネルにスリットを形成し、そのスリットに仕切り受け部を挿入して保持する形態であっても良い。組立パネル群は、３以上の連結パネルを有する構成とすることが可能である。仕切り受け部については、その種類や枚数が任意であり、調理対象の食料やスモークチップ等を受ける形態であっても良い。その形態によっては、五徳等を省略することも可能である。本発明に係る組立式コンロは焚火台としても使用可能である。
【符号の説明】
【００３２】
Ａ  組立式コンロ
１００  コンロ本体
１１０  炉枠体部
１１０Ｕ    組立パネル群
１１１〜１１４  パネル
１１１１〜１１４１  凹部
１１１２〜１１４２  凹部
１１５  ヒンジ
１１５１  ヒンジ受け部  
１１５２  ヒンジピン
１１６  ヒンジ
１２０  仕切り受け部
１２１  炭受け網      
１２１２、１２１３  凸部
１２２  灰受け板    
１２２２、１２２３  凸部
【図１】
2020031943.tif 000003
【図２】
2020031943.tif 000004
【図３】
2020031943.tif 000005
【図４】
2020031943.tif 000006
【図５】
2020031943.tif 000007
【図６】
2020031943.tif 000008